(57)【要約】【課題】ループ状の光ファイバーを監視対象物品を補足するように取り付け、該光ファイバーに伝播する光の有無を検出することにより、比較的簡単な設備により確実に盗難を監視することができる盗難監視システムを提供する。【解決手段】この監視制御部８は、光ファイバー１７の往路ファイバー６の端部から光を入射させる光源（発光手段）１２と、光ファイバー１７を伝播した光を復路ファイバー５の端部から受光するフォトセンサ（受光手段）１４と、フォトセンサ１４の信号を増幅するアンプ１６と、アンプ１６のレベルを監視する制御部１５と、光源１２から入射された光を分岐する光分岐器９と、復路ファイバー５の端部からから入射して光を分岐する光分岐器１１と、光分岐器９からの光をフォトセンサ１４に入射するバイパス回路（バイパス手段）１０とを備えて構成される。【選択図】図２
2007206747.tif 000002
【特許請求の範囲】
【請求項１】
監視対象物品が盗難されたことを監視する盗難監視システムであって、
ループ状の光ファイバーと、該光ファイバーの一端部から監視のための光を入射させる発光手段と、前記光ファイバーを伝播して他端部から出射した光を受光する受光手段と、該受光手段の信号レベルを監視する監視制御部と、を備え、
前記監視対象物品を盗難できないように前記光ファイバーのループに組み込んだ状態において、前記監視制御部は、前記光ファイバーの一端部から入射した光が前記受光手段により受光できないことを検出した場合、前記監視対象物品が盗難されたと判断することを特徴とする盗難監視システム。
【請求項２】
前記光ファイバーは、該光ファイバーループの所定箇所に、前記光ファイバーを断接する少なくとも１つ以上の断接手段を備えたことを特徴とする請求項１に記載の盗難監視システム。
【請求項３】
前記監視制御部は、前記監視対象物品の盗難を監視する監視モードと、前記監視対象物品の移動に伴う通常作業中であることを知らせる非監視モードと、を実現することを特徴とする請求項１又は２に記載の盗難監視システム。
【請求項４】
前記光ファイバーループを短絡するバイパス手段を更に備え、前記監視制御部は、前記非監視モード中に前記光ファイバーを短絡するように前記バイパス手段を制御することを特徴とする請求項１、２又は３に記載の盗難監視システム。
【請求項５】
前記バイパス手段は、少なくとも前記断接手段が設けられている光ファイバーループよりも前記発光手段及び前記受光手段側の位置に備えられていることを特徴とする請求項４に記載の盗難監視システム。
【請求項６】
前記監視対象物品が盗難されたことを報知する報知手段を更に備え、前記監視制御部は、前記監視モード中に前記発光手段からの光が前記受光手段により受光できないことを検出した場合、前記監視対象物品が盗難されたと判断して前記報知手段によりその旨を報知することを特徴とする請求項１乃至５の何れか一項に記載の盗難監視システム。
【請求項７】
前記監視制御部は、前記非監視モード中に前記発光手段からの光が前記受光手段により受光できないことを検出した場合、前記報知手段を動作させないことを特徴とする請求項１乃至５の何れか一項に記載の盗難監視システム。
【請求項８】
前記監視対象物品は、前記断接手段を夫々両端に備えた光ファイバーを常備していることを特徴とする請求項１乃至７の何れか一項に記載の盗難監視システム。
【請求項９】
前記監視制御部は、前記非監視モードを設定して前記バイパス手段により前記光ファイバーを短絡した後、所定の時間経過しても前記バイパス手段が動作中であった場合、前記バイパス手段を強制的に非動作とすることを特徴とする請求項１乃至８の何れか一項に記載の盗難監視システム。
【請求項１０】
監視対象物品が盗難されたことを監視する盗難監視システムであって、
ループ状の導線と、該導線の一端部から所定の電流を供給する電流供給手段と、前記導線を伝播した電流を電圧に変換して検出する電圧検出手段と、該電圧検出手段の信号レベルを監視する監視制御部と、を備え、
前記監視対象物品を盗難できないように前記導線のループに組み込んだ状態において、前記監視制御部は、前記導線の一端部より前記電流供給手段により電流を供給し、該電流を電圧に変換した結果が前記電圧検出手段により検出できない場合、前記監視対象物品が盗難されたと判断することを特徴とする盗難監視システム。
【発明の詳細な説明】
【技術分野】
【０００１】
本発明は、盗難監視システムに関し、さらに詳しくは、監視対象物品が盗難されたことを自動的に監視して報知する盗難監視システムに関するものである。
【背景技術】
【０００２】
従来から貴重品を盗難から防護するために、各種の監視装置が提案されている。例えば、宝石等の比較的物品が小さいが高価なものは、金庫やケースに収納して物理的に持ち出しができないようにすると共に、センサを設置して金庫の扉が開放されたことを検知して通報するようにしている。また、セキュリティ会社に委託して、建造物に侵入したことをセンサにより検知してセキュリティ会社に通報することが行なわれている。しかし、これらの物品は比較的形状が小さく軽量なため、屋内に収納することが可能であるが、形状が大きな重量物は屋外或いは倉庫等に収納する場合が多い。特に、電力関係のケーブルを巻きつけたリール等は、形状が大きく、しかも重量が重いため屋外に野積みにされることが多い。また最近では光通信の発達による光ファイバーの需要増により集積場所の確保が困難となりつつあることもあって、リールに巻き付けた光ファイバーを屋外の資材置き場に野積みにしておく場合もあるが、光ファイバーは一般の銅線と異なり値段が格段に高く、それを狙う盗難も多くなっている。光ファイバー等を巻き付けたリールは大型且つ高重量であるため、これを不正に持ち出すためにはフォークリフト、トラック等の運搬手段と複数の人手が必須となるが、これらの資材置き場は人通りの少ない僻地に設けられていることが多いばかりか、監視者が配置されていないことも多いため、大がかりな機材類を使用した盗難が比較的容易に行われる傾向にある。
【０００３】
また光ファイバーを使用してセンサループを監視する技術として特許文献１には、各種センサを光ファイバーにより直列に接続し、光ファイバーにクロック信号を送出し、センサからのアドレス信号とクロック信号を切り分けることにより、どのセンサが異常かをアドレスにより判別する技術が開示されている。
【特許文献１】特開昭６２−２９４３３８号公報
【発明の開示】
【発明が解決しようとする課題】
【０００４】
しかしながら、屋外に野積みにされた物品の盗難を防止するためには、強固な囲いを設けて進入、持ち出しの防止を図るか、或いは監視員を常時配置しておくか、或いは監視カメラ等で別な場所からモニタして監視しなければならず、設備が大掛かりとなるばかりでなく、そのためのコストが膨大となるといった問題がある。
また特許文献１に開示されている従来技術は、各センサにアドレス発信部を備え、光ファイバーに送信されたクロック信号とアドレス信号を切り換えることにより、どのセンサが異常であるかをアドレス信号から判断する発明であるが、切替手段が異常な場合は、センサの異常と区別ができないといった問題がある。
【０００５】
本発明は、かかる課題に鑑み、ループ状の光ファイバー、導線等の監視用の線材を監視対象物品に対して組み付けておき、該光ファイバー、導線に伝播する光、電流の有無を検出することにより、比較的簡単な設備により確実に盗難を監視することができる盗難監視システムを提供することを目的とする。
【課題を解決するための手段】
【０００６】
本発明はかかる課題を解決するために、請求項１は、監視対象物品が盗難されたことを監視する盗難監視システムであって、ループ状の光ファイバーと、該光ファイバーの一端部から監視のための光を入射させる発光手段と、前記光ファイバーを伝播して他端部から出射した光を受光する受光手段と、該受光手段の信号レベルを監視する監視制御部と、を備え、前記監視対象物品を盗難できないように前記光ファイバーのループに組み込んだ状態において、前記監視制御部は、前記光ファイバーの一端部から入射した光が前記受光手段により受光できないことを検出した場合、前記監視対象物品が盗難されたと判断することを特徴とする。
【０００７】
本発明は、監視対象物品を盗難できないように常時監視用の光を入射した光ファイバーに組み付け、監視対象物品を盗むためには、その光ファイバーを切断、分断しなければならないようにして、切断により受光手段が監視光を受光できなくなった時点で監視対象物品が盗難されたと判断するシステムである。なお、監視対象物品を光ファイバーのループに組み込むとは、光ファイバーを監視対象物品に設けた穴、切欠き等に挿通する等の方法によって係止、係合させることにより、光ファイバーを切断、分断しない限り監視対象物品を移動させることができなくなる状態にすることを意味する。
【０００８】
請求項２は、前記光ファイバーは、該光ファイバーループの所定箇所に、前記光ファイバーを断接する少なくとも１つ以上の断接手段を備えたことを特徴とする。
正当な担当者による通常の物品の搬入搬出作業において、監視対象物品を光ファイバーのループから取り外したり、新たにループに組み込む必要が生じる。そのとき、光ファイバーを切断すると新たに新しい光ファイバーを配設せねばならず、不経済である。そこで本発明では、予め所定の長さ単位に断接が可能な断接手段を光ファイバーに設けておくものである。
【０００９】
請求項３は、前記監視制御部は、前記監視対象物品の盗難を監視する監視モードと、前記監視対象物品の移動に伴う通常作業中であることを知らせる非監視モードと、を実現することを特徴とする。
本発明は、監視制御部が現在システムがどのモードにより稼働中であるかを判断できるように監視モードと非監視モードの２つのモードを設定できるようにするものである。これにより、モードにより制御の方法を切り換えることができる。
【００１０】
請求項４は、前記光ファイバーループを短絡するバイパス手段を更に備え、前記監視制御部は、前記非監視モード中に前記光ファイバーを短絡するように前記バイパス手段を制御することを特徴とする。
非監視モードにおいて、正当な担当者が物品を光ファイバーのループから取り外したり、新たにループに組み込むために断接手段によりループを切断する必要が生じる場合がある。その場合、受光手段により受光できないことを検出して、監視対象物品が盗難されたと誤判断してしまう。そこで本発明では、非監視モードのときは誤判断を避けるために、バイパス手段によりループを短絡するものである。
【００１１】
請求項５は、前記バイパス手段は、少なくとも前記断接手段が設けられている光ファイバーループよりも前記発光手段及び前記受光手段側の位置に備えられていることを特徴とする。
本発明のバイパス手段は、断接手段の影響を受けないように、発光手段及び受光手段側の位置に備えるものである。
【００１２】
請求項６は、前記監視対象物品が盗難されたことを報知する報知手段を更に備え、前記監視制御部は、前記監視モード中に前記発光手段からの光が前記受光手段により受光できないことを検出した場合、前記監視対象物品が盗難されたと判断して前記報知手段によりその旨を報知することを特徴とする。
監視対象物品が置かれている場所に報知手段を設置しておくことは、盗難の抑止力になる。また、盗難が発生した場合に即座に不正者に対して警報音等により警報することは、盗難の実行をその時点で停止させる可能性もある。
【００１３】
請求項７は、前記監視制御部は、前記非監視モード中に前記発光手段からの光が前記受光手段により受光できないことを検出した場合、前記報知手段を動作させないことを特徴とする。
非監視モード中は基本的にバイパス手段により発光手段からの光が受光手段により受光できるはずであるが、バイパス手段の異常等の原因により、受光できない場合も想定される。そこで本発明では、非監視モード中はこのような事態が発生しても報知手段を動作させないようにする。
【００１４】
請求項８は、前記監視対象物品は、前記断接手段を夫々両端に備えた光ファイバーを常備していることを特徴とする。
予め監視対象物品に断接手段を夫々両端に備えた光ファイバーを備えていれば、監視対象物品が増減しても別途光ファイバーを用意する必要がなくなり、作業性が向上する。
【００１５】
請求項９は、前記監視制御部は、前記非監視モードを設定して前記バイパス手段により前記光ファイバーを短絡した後、所定の時間経過しても前記バイパス手段が動作中であった場合、前記バイパス手段を強制的に非動作とすることを特徴とする。
本システムはあくまでも盗難を監視することが目的である。しかし、バイパス手段を元に戻すのを忘れた場合は、全く監視の機能が果たせなくなってしまう。そこで本発明では、非監視モードを設定して所定の時間経過してもバイパス手段が動作中であった場合、バイパス手段を強制的に非動作とするものである。
【００１６】
請求項１０は、監視対象物品が盗難されたことを監視する盗難監視システムであって、ループ状の導線と、該導線の一端部から所定の電流を供給する電流供給手段と、前記導線を伝播した電流を電圧に変換して検出する電圧検出手段と、該電圧検出手段の信号レベルを監視する監視制御部と、を備え、前記監視対象物品を盗難できないように前記導線のループに組み込んだ状態において、前記監視制御部は、前記導線の一端部より前記電流供給手段により電流を供給し、該電流を電圧に変換した結果が前記電圧検出手段により検出できない場合、前記監視対象物品が盗難されたと判断することを特徴とする。
光ファイバーは部品のコストとしては高価である。しかし、信号の伝播距離を長く設定できるといった長所もある。本発明は比較的規模が小さい場合に、光ファイバーの代わりに導線を使用し、この導線に定電流を流して電圧検出手段により導線が切断されたか否かを検出するものである。
【発明の効果】
【００１７】
請求項１の発明によれば、常時光を入射した光ファイバーを監視対象物品を盗難できないように光ファイバーのループに組み込み、監視対象物品を盗むためには、その光ファイバーを切断、分断しなければならないようにして、切断により受光手段が受光できなくなった時点で監視対象物品が盗難されたと判断するので、単純な構成により確実に監視対象物品の盗難を監視することができる。
また請求項２では、光ファイバーは、光ファイバーループの所定箇所に、光ファイバーを断接する少なくとも１つ以上の断接手段を備えたので、通常作業時に光ファイバーを切断せずに監視対象物品の組み込みと取り外しが可能となる。
【００１８】
また請求項３では、監視制御部は、監視対象物品の盗難を監視する監視モードと、監視対象物品の移動に伴う通常作業中であることを知らせる非監視モードとを備えたので、モードにより制御方法を変えることができる。
また請求項４では、非監視モードのときは誤判断を避けるために、バイパス手段によりループを短絡するので、光ファイバーの断接を自由に行うことができる。
また請求項５では、バイパス手段は、少なくとも断接手段が設けられている光ファイバーループより発光手段及び受光手段側の位置に備えられているので、バイパス手段により光ファイバーを短絡すると、断接手段の断接に関係なく受光手段が光を受光することができる。
【００１９】
また請求項６では、監視制御部は、監視モード中に発光手段からの光が受光手段により受光できないことを検出した場合、監視対象物品が盗難されたと判断して報知手段によりその旨を報知するので、盗難されたことを即座に認識することができると共に、不正者に対して盗難の実行をその時点で停止させる抑止力となる。
また請求項７では、監視制御部は、非監視モード中に発光手段からの光が受光手段により受光できないことを検出した場合、報知手段を動作させないので、非監視モード中に受光手段により光が受光できない場合が発生しても、誤って警報を報知することを停止することができる。
【００２０】
また請求項８では、監視対象物品は、予め断接手段を夫々両端に備えた光ファイバーを常備しているので、別途光ファイバーを用意する必要がなくなり、作業性を向上させることができる。
また請求項９では、非監視モードを設定して所定の時間経過してもバイパス手段が動作中であった場合、バイパス手段を強制的に非動作とするので、非監視モードのまま監視が不可能になることを防止することができる。
また請求項１０では、光ファイバーの替わりに導線を使用し、この導線に定電流を流して電圧検出手段により導線が切断されたか否かを検出するので、安価なコストによりシステムを構築することができる。
【発明を実施するための最良の形態】
【００２１】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の第１の実施形態に係る盗難監視システムの概略構成図である。この実施形態では、資材置き場等の屋外の物品保管場所１に野積みにされた複数のケーブルリール（ボビン）３を監視する場合について説明する。この盗難監視システム１００は、ループ状の光ファイバーの一端部から入射した光が他端部から出射されるか否かにより盗難の有無を監視する監視制御部８と、各ケーブルリール（監視対象物品）３に設けられた孔部３ａを挿通するループ状の光ファイバー１７と、光ファイバー１７が切断されたことを報知するスピーカ（報知手段）２と、を備えて構成される。尚、説明の便宜上光ファイバー１７の往路側を往路ファイバー６、復路側を復路ファイバー５と呼ぶ。また、光ファイバー１７には所定の間隔でジョイント部（断接手段）４（４ａ、４ｂ、４ｃ）が備えられている（詳細は後述する）。
【００２２】
次に、ケーブルリール３を不正に搬出しようとする者がいる場合における監視動作について説明する。本システムが盗難監視体制にあるときは、監視制御部８は往路ファイバー６から光を入射し、復路ファイバー５によりその光を受光することにより、光ファイバー１７は正常な状態にあり、且つ各ケーブルリール３は盗難されていないと判断する。即ち、光ファイバー１７は各ケーブルリール３の孔部３ａを直列に挿通しているので、ケーブルリール３を盗むためにはジョイント部４を外すか、光ファイバー１７を切断する以外に方法が無いためである。ここで不正者が光ファイバー１７のａ部を切断したとする。監視制御部８は常時往路ファイバー６から光を入射し、復路ファイバー５によりその光を受光しているので、切断により復路ファイバー５を伝播する光が遮断されて受光しなくなり、光ファイバー１７が切断された（即ち不正に盗難された）と判断することができる。これにより監視制御部８はスピーカ２、その他の報知手段により警報を発して監視者に異常発生を知らせる。
【００２３】
次に、正当な作業者によって行われる通常の作業（非監視体制）時における搬入搬出作業の概略について説明する。本システムが非監視体制にあるときは、監視制御部８は往路ファイバー６と復路ファイバー５を通る光をショートさせる（詳細は後述する）。それにより物品保管場所１側にある光ファイバーの断接に関係なく監視制御部８は正常に光を受光することができる。従って、作業者はジョイント部４を自由に断接して各ケーブルリール３を光ファイバー１７のループに組み込んだり、取り外したりできる。そして作業が終了した時点でジョイント部４を正常に接続して監視制御部８により元の盗難監視体制に戻す。
【００２４】
図２は本発明の第１の実施形態に係る盗難監視システムの模式図であり、監視制御部内の構成を示すブロック図である。同じ構成要素には図１と同じ参照番号を付して説明する。この監視制御部８は、光ファイバー１７の往路ファイバー６の端部から光を入射させる光源（発光手段）１２と、光ファイバー１７を伝播した光を復路ファイバー５の端部から受光するフォトセンサ（受光手段）１４と、フォトセンサ１４の信号を増幅するアンプ１６と、アンプ１６のレベルを監視する制御部１５と、光源１２から入射された光を分岐する光分岐器９と、復路ファイバー５の端部からから入射して光を分岐する光分岐器１１と、光分岐器９からの光をフォトセンサ１４に入射するバイパス回路（バイパス手段）１０とを備えて構成される。尚、光源１２は可視光、レーザ光、ＬＥＤ、紫外線、赤外線何れでも構わない。また、フォトセンサ１４は光源の波長に対して最も感度が高くなるような特性のセンサであることが望ましい。また、本実施形態ではバイパス回路１０は制御部１５により制御されるように構成されているが、手動により切り換える構成でも構わない。
【００２５】
図３（ａ）はジョイント部を備えた光ファイバーの構成を示す外観図である。光ファイバー１７は接続箇所が両端だけの１本の光ファイバーでも良いが、作業性を考えた場合、所定の長さで両端にジョイント部を備えていた構成の方が扱い易い。即ち、図１のようにケーブルリール３の１つをループから取り外すとき、例えば、光ファイバ１７のジョイント部を物品保管場所１の４Ａ、４Ｂだけに設け、物品保管場所１内の光ケーブルにはジョイント部を設けない場合、場所によっては多くのケーブルリールから光ファイバーを抜かなければならず、非常に作業性が悪くなる。そこで、図３（ａ）のように所定の長さ単位で両端に雄、雌のジョイント部２０、２２を備えることにより、部分的に光ファイバー１７を断接できるので作業性が非常に良くなる。雄ジョイント部２０は雌ジョイント部２２と嵌合したときに外れにくくする突起部２３を有し、雌ジョイント部２２は雄ジョイント部２０と嵌合したときにロックする爪部２１を有する。
【００２６】
図３（ｂ）は雄ジョイント部と雌ジョイント部が嵌合した状態の内部透視図である。同じ構成要素には図３（ａ）と同じ参照番号を付して説明する。本実施形態の光ファイバー１７はデータを光伝送する目的を有しておらず、監視用の光の有無を検出することを目的としているため、嵌合状態が多少ラフであっても構わない。従って、嵌合状態で光ファイバー１７の端面接触部２４が多少ずれても構わない。このような目的に使用されるジョイント部４は精密な精度を必要としないため、コスト的に安価に実現することができる。
【００２７】
図４は図３（ａ）のジョイント部を備えた光ファイバーをケーブルリールに常備した外観透視図である。同じ構成要素には図１と同じ参照番号を付して説明する。このケーブルリール３は、孔部３ａを有する柱部３ｃと、柱部３ｃの両側面に備えられたつば部３ｂと、孔部３ａに挿通した光ファイバー１７とを備えている。尚、光ファイバー１７は孔部３ａから抜けないようにするために、固定具３０により両端で固定されている。このように予めケーブルリール３にジョイント部２０、２２を夫々両端に備えた光ファイバー１７を備えていれば、ケーブルリール３が増減しても別途光ファイバーを用意する必要がなくなり、作業性が向上する。
【００２８】
図５は本発明の盗難監視システムの動作を説明するフローチャートである。図２を参照して説明する。本システムが盗難監視体制にあるときは（Ｓ１でＹＥＳのルート）、監視制御部８はバイパス回路１０をＯＦＦ状態にして（Ｓ２）往路ファイバー６から監視のための光を入射する（Ｓ３）。その光は光ファイバー１７が切断されていなければ伝播して復路ファイバー５によりフォトセンサ１４により受光される（Ｓ４でＹＥＳのルート）。フォトセンサ１４により光を受光することにより、アンプ１６の信号レベルが高くなり、制御部１５に入力して光ファイバー１７が正常状態であると判断する（Ｓ５）。そしてステップＳ１に戻って繰り返す。
一方、盗難が発生して光ファイバー１７がａ点で切断されると、ステップＳ４でフォトセンサ１４により光を受光しなくなる（Ｓ４でＮＯのルート）。そして再度、盗難監視体制か否かを判断し（Ｓ６）、今は盗難監視体制であるので（Ｓ６でＹＥＳのルート）、異常事態が発生したと判断して（Ｓ７）、スピーカ２を駆動して警報をＯＮする（Ｓ８）。
【００２９】
一方、ステップＳ１で本システムが非監視体制にあるときは（Ｓ１でＮＯのルート）、監視制御部８は往路ファイバー６と復路ファイバー５の光をショートするためにバイパス回路１０を点線のようにショートする（Ｓ１０）。それにより物品保管場所１側にある光ファイバーの断接に関係なく監視制御部８はフォトセンサ１４により正常に光を受光することができる。従って、作業者はジョイント部４を自由に断接して各ケーブルリール３を光ファイバー１７のループに組み込んだり、取り外したりできる。そして作業が終了した時点でジョイント部４を正常に接続して監視制御部８により元の盗難監視体制に戻す。しかし、バイパス回路１０を元に戻すのを忘れた場合（即ち、非監視体制のまま）は、全く監視の機能が果たせなくなってしまう。そこで非監視モードを設定して所定の時間経過してもバイパス回路１０が動作中であった場合（Ｓ１１でＹＥＳのルート）、ステップＳ２に進んでバイパス回路１０を強制的にＯＦＦにする（Ｓ２）。また、ステップＳ４においてフォトセンサ１４が光を受光しなかった場合（Ｓ４でＮＯのルート）、そして再度、盗難監視体制か否かを判断し（Ｓ６）、今は非監視体制であるので（Ｓ６でＮＯのルート）、バイパス回路１０をチェックして終了する。
【００３０】
図６は本発明の第２の実施形態に係る盗難監視システムの模式図であり、特に監視制御部内の構成を示すブロック図である。同じ構成要素には図１と同じ参照番号を付して説明する。尚、説明の便宜上、導線５１の往路側を往路導線４８、復路側を復路導線４９と呼ぶ。また、導線５１には所定の間隔でジョイント部（断接手段）５０（５０ａ、５０ｂ、５０ｃ）が備えられている。この監視制御部４０は、ループ状の導線５１と、導線５１の一方の端部から所定の電流Ｉを供給する定電流源（電流供給手段）４６と、導線５１を伝播した電流Ｉを電圧に変換する抵抗Ｒと、抵抗Ｒの端子電圧を検出するコンパレータ（電流検出手段）４７と、コンパレータ４７の信号レベルを監視する制御部４５とを備えて構成される。この盗難監視システム１１０は、各ケーブルリール（監視対象物品）３を盗難できないように導線５１のループに組み込んだ状態において、制御部４５は、導線５１の一方の端部より定電流源４６により電流Ｉを供給し、電流Ｉがコンパレータ４７により検出できない場合（電流Ｉがゼロとなり抵抗Ｒの端子電圧もゼロとなる）、ケーブルリール３が盗難されたと判断するものである。また本システムが非監視体制にあるときは、制御部４５は往路導線４８と復路導線４９をバイパス回路４２によりショートする。それによりケーブルリール３の近傍にあるジョイント部５０の断接に関係なく制御部４５は正常に電流を検出することができる。従って、作業者はジョイント部５０を自由に断接して各ケーブルリール３を導線５１のループに組み込んだり、取り外したりできる。そして作業が終了した時点でジョイント部５０を正常に接続して監視制御部４０により元の盗難監視体制に戻す。
【００３１】
尚、本実施形態では導線５１を使用するため、ループの長さが長くなるとループ抵抗が大きくなり、電流がそれに伴って変化するため、定電流源４６は電流Ｉが常に一定値になるように電圧を制御している。しかし、ループ抵抗が極端に多くなると（ループが断線）、無制限に電圧を上昇させなければならないため、上限値を設けて制限している。これにより、ループが切断されても定電流源４６を保護することができる。
【００３２】
以上のとおり本発明によれば、常時光を入射した光ファイバー１７をケーブルリール３を盗難できないように光ファイバー１７のループに組み込み、ケーブルリール３を盗むためには、その光ファイバー１７を切断しなければならないようにして、切断によりフォトセンサ１４が監視光を受光できなくなった時点でケーブルリール３が盗難されたと判断するので、単純な構成により確実にケーブルリール３の盗難を監視することができる。
また、光ファイバー１７は、光ファイバーループの所定箇所に、光ファイバー１７を断接する少なくとも１つ以上のジョイント部４を備えたので、通常作業時に光ファイバー１７を切断せずにケーブルリール３の組み込みと取り外しが可能となる。
【００３３】
また、制御部１５は、ケーブルリール３の盗難を監視する監視モードと、ケーブルリール３の移動に伴う通常作業中であることを知らせる非監視モードとを備えたので、モードにより制御方法を変えることができる。
また、非監視モードのときは誤判断を避けるために、バイパス回路１０によりループを短絡するので、光ファイバー１７の断接を自由に行うことができる。
また、バイパス回路１０は、少なくともジョイント部４が設けられている光ファイバーループより光源１２及びフォトセンサ１４側に備えられているので、バイパス回路１０により光ファイバー１７を短絡すると、ジョイント部４の断接に関係なくフォトセンサ１４が光を受光することができる。
【００３４】
また、制御部１５は、監視モード中に光源１２からの光がフォトセンサ１４により受光できないことを検出した場合、ケーブルリール３が盗難されたと判断してスピーカ２によりその旨を報知するので、盗難されたことを即座に認識することができると共に、不正者に対して盗難の実行をその時点で停止させる抑止力となる。
また、制御部１５は、非監視モード中に光源１２からの光がフォトセンサ１４により受光できないことを検出した場合、スピーカ２を動作させないので、非監視モード中にフォトセンサ１４により光が受光できない場合が発生しても、誤って警報を報知することを停止することができる。
【００３５】
また、ケーブルリール３は、予めジョイント部４を夫々両端に備えた光ファイバーを常備しているので、別途光ファイバーを用意する必要がなくなり、作業性を向上させることができる。
また、非監視モードを設定して所定の時間経過してもバイパス回路１０が動作中であった場合、バイパス回路１０を強制的に非動作とするので、非監視モードのまま監視が不可能になることを防止することができる。
また、光ファイバー１７の替わりに導線５１を使用し、この導線５１に定電流Ｉを流してコンパレータ４７により導線５１が切断されたか否かを検出するので、安価なコストによりシステムを構築することができる。
【図面の簡単な説明】
【００３６】
【図１】本発明の第１の実施形態に係る盗難監視システムの概略構成図である。
【図２】本発明の第１の実施形態に係る盗難監視システムの模式図であり、特に監視制御部内の構成を示すブロック図である。
【図３】（ａ）はジョイント部を備えた光ファイバーの構成を示す外観図、（ｂ）は雄ジョイント部と雌ジョイント部が嵌合した状態の内部透視図である。
【図４】ジョイント部を備えた光ファイバーをケーブルリールに常備した外観透視図である。
【図５】本発明の盗難監視システムの動作を説明するフローチャートである。
【図６】本発明の第２の実施形態に係る盗難監視システムの模式図であり、特に監視制御部内の構成を示すブロック図である。
【符号の説明】
【００３７】
１  物品保管場所、２  スピーカ、３  ケーブルリール、４  ジョイント部、５  復路ファイバー、６  往路ファイバー、８  監視制御部、９  、１１  光分岐器、１０  バイパス回路、１２  光源、１４  フォトセンサ、１５  制御部、１６  アンプ、１７  光ファイバー、１００  盗難監視システム
【図１】
2007206747.tif 000003
【図２】
2007206747.tif 000004
【図３】
2007206747.tif 000005
【図４】
2007206747.tif 000006
【図５】
2007206747.tif 000007
【図６】
2007206747.tif 000008